(57)【要約】【課題】押圧してマッサージする押圧具において、握力が限られていても楽に継続使用することができ、片手で使用しても十分な力がかかって押圧できる押圧具を実現する。【解決手段】身体を押圧する押圧部３と、縦方向に延びるフレーム２において横方向に指を掛ける把持部４とを設けた押圧具１とすることで、縦方向に握り持つ従来の押圧具とは異なり、握力が弱くても把持部４に指をフックのように掛けて軽く握り持って楽に継続使用できる。【選択図】図２
2019205814.tif 000002
【特許請求の範囲】
【請求項１】
身体を押圧する押圧部と、前記押圧部から縦方向に延びるフレームにおいて横方向に指を掛ける把持部とを設けたことを特徴とする押圧具。
【請求項２】
前記フレームにおいて環状部を形成し、前記環状部の一部を前記把持部とすることを特徴とする請求項１に記載の押圧具。
【請求項３】
前記フレームの中央付近の横方向における幅を前記把持部の横方向における幅より小さくしたことを特徴とする請求項１又は請求項２に記載の押圧具。
【発明の詳細な説明】
【技術分野】
【０００１】  本発明は、押圧して身体をマッサージするための押圧具に関するものである。
【背景技術】
【０００２】  従来の押圧具には、湾曲した棒状フレームの一端に設けた押圧部を身体の肩などに当接させながら棒状フレームの他端を握って押し引きし、押圧マッサージするものがある（例えば特許文献１参照）。
【先行技術文献】
【特許文献】
【０００３】
【特許文献１】特開２０１６−２１４５９１号公報
【発明の概要】
【発明が解決しようとする課題】
【０００４】  上記従来の押圧具は、棒状フレームの端を握って使用するため、握力が弱いと握っている手が押し引きする方向にずれたり、はずれたりするという問題があり、特に高齢者は握る力が弱いので、楽に継続使用する点で課題となっていた。また、握力が弱いと両手で棒状フレームの端を握って使用することもできるが、デスクワークなどの場合、文具や電子機器などを使用している手が使えないため、片手でしっかりと握って押し引きする方向にずれないように握力を一層かけながら使用せざるをえなかった。【０００５】  本発明は、このような従来の構成が有していた問題を解決しようとするものであり、握力が限られていても楽に継続使用することができ、片手で使用しても十分な力がかかって身体を押圧できる押圧具を実現することを目的とするものである。
【課題を解決するための手段】
【０００６】  本発明の押圧具は、身体を押圧する押圧部と、前記押圧部から縦方向に延びるフレームにおいて横方向に指を掛ける把持部とを設けたことを主要な特徴とする。【０００７】  また、本発明の押圧具として、前記フレームにおいて環状部を形成し、前記環状部の一部を前記把持部としてもよい。【０００８】  さらに、本発明の押圧具として、前記フレームの中央付近の横方向における幅を前記把持部の横方向における幅より小さくしてもよい。
【発明の効果】
【０００９】  本発明の押圧具は、前記押圧部から縦方向に延びるフレームにおいて横方向に指を掛ける前記把持部を設けているため、縦方向に握り持つ従来の押圧具とは異なり、握力が弱くても前記把持部を軽く握って指をフックのように前記把持部に掛けることができるので、握っている手が押し引きする縦方向にずれたり、はずれたりする問題を可及的に抑えることができ、楽に継続使用することができる。特に、デスクワークなどの場合、文具や電子機器などを使用している手の他方の手で手軽に指を掛けるだけで押し引きして楽に押圧マッサージを実施することができる。【００１０】  また、本発明の押圧具として、前記フレームにおいて環状部を形成し、前記環状部の一部を前記把持部とするなら、吊り革のようにしっかりと握りやすくなり、また前記フレームの強度が向上して、その分しっかりと継続的に押圧できる。さらに、前記把持部の環状に沿って持つ所を変えられるので、できるだけ手首を曲げずに持つことができ、その分手首の負担を軽減でき楽に押圧できる。【００１１】  さらに、本発明の押圧具として、前記フレームの中央付近の横方向における幅を前記把持部の横方向における幅より小さくするなら、特に身体の首の付け根を押圧する時、手首や腕の位置や角度をあまり変更させずに前記押圧部が首の後ろ中央にまで届きやすくなるので、手首の疲れを抑えながら楽に使用でき、且つ前記押圧部を所望する身体部位に当接させやすくなり、その分楽な気持ちで継続使用することができる。
【図面の簡単な説明】
【００１２】
【図１】本発明の一実施の形態における押圧具の正面図。
【図２】本発明の一実施の形態における押圧具の断面図。
【図３】本発明の一実施の形態における押圧具の平面図。
【図４】本発明の一実施の形態における押圧具を持った状態を示す説明図。
【図５】本発明の一実施の形態における押圧具の使用状態を示す説明図。
【発明を実施するための形態】
【００１３】  以下に、本発明の押圧具を、実施例１及び実施例２として図面に基づき詳細に説明する。
【００１４】  本発明の押圧具１は、図１から図４の実施形態で示したように、身体を押圧する押圧部３と、前記押圧部３から縦方向に延びるフレーム２において横方向に人の手Ｈの指を掛ける把持部４とを設けて構成したものである。
【００１５】  前記押圧部３の形状を小球体にすることで、様々な角度から押圧しても安定した押圧感をもたらす。前記押圧部３は、軟質または硬質の樹脂または金属などの材質で形成できる。尚、図示しないが前記押圧部３を一つに限らず適宜複数設けてもよいし、また小球体に限らず他の形状にしてもよい。前記押圧部３は、縦方向に延びる前記フレーム２の上端に設けている。すなわち、図２に示すように前記フレーム２の上端から突出形成した軸部２２に前記押圧部３を被せて軸着している。前記軸部２２は、前記把持部４に前記手Ｈの指を掛けて引く方向に前記フレーム２の上端から突出形成しているので、前記手Ｈの指を掛けて引く時に前記軸部２２が撓みにくくなり、その分、引く力が逃げることなく楽に押圧マッサージができる。
【００１６】  前記フレーム２は、軟質または硬質の樹脂または金属などの材質で形成できる。図２は本発明の押圧具１のＡ−Ａ断面図であると共に側面の形状を示すものであり、この断面の位置と方向は図１に示しているが、図２に示すように前記フレーム２は側面から見て中央付近から上方は前方に曲げられており、下端付近は逆に後方へ曲げて形成している。
【００１７】  前記把持部４は、図４に示すように前記フレーム２の下端に設け、指を横方向に並べて掛けられるように形成している。前述のように前記フレーム２の下端付近は後方へ曲げて形成しているため、図２に示すように胴体Ｂと前記把持部４との間に隙間が生じるので、前記把持部４を持つ前記手Ｈの指が、胴体Ｂと前記把持部４との隙間に入っても胴体Ｂに当接することを軽減できる。そのため、前記把持部４を押し引きしやすくなり、楽に継続使用することができる。
【００１８】  このように本発明の押圧具１は、前記押圧部３から縦方向に延びるフレーム２において横方向に指を掛ける前記把持部４を設けているため、縦方向に握り持つ従来の押圧具１とは異なり、握力が弱くても前記把持部４を軽く握って指をフックのように前記把持部４に掛けることができるので、握っている手が押し引きする縦方向にずれたり、はずれたりする問題を可及的に抑えることができ、楽に継続使用することができる。特に、デスクワークなどの場合、文具や電子機器などを使用している手の他方の手で手軽に指を掛けるだけで押し引きすることができ、このように片手だけで本発明の押圧具１を持ちつつ楽に押圧マッサージを実施することができる。
【００１９】  また、本発明の押圧具１として図１から図３に示すように、前記フレーム２において環状部２１を形成し、前記環状部２１の一部を前記把持部４としてもよい。このように構成することで、前記把持部４が図４に示すように吊り革のようにしっかりと握りやすくなり、前記フレーム２の強度が向上して、その分しっかりと継続的に押圧できるし、前記把持部４の環状に沿って持つ所を変えられるので、できるだけ手首を曲げずに持つことができ、その分手首の負担を軽減でき楽に押圧できる。
【００２０】  また、図１から図３に示すように、前記フレーム２における前記環状部２１に前記押圧部３を設けることができる。すなわち、前記環状部２１の上方側に前記押圧部３を、前記環状部２１の下方側に前記把持部４を設けるなら、従来の棒形状のフレームとは異なり、前記フレーム２の全体の強度が飛躍的に向上し、楽な力でしっかりと継続的に押圧マッサージを実施できる。
【００２１】  さらに、本発明の押圧具１として、図１に示すように前記フレーム２の中央付近の横方向における幅を前記把持部４の横方向における幅より小さくしてもよい。すなわち、前記フレーム２の中央付近の横方向における幅であるフレーム中央幅Ｌ１を前記把持部４の横方向における幅である把持部幅Ｌ２より小さくするなら、身体の首Ｎの周囲形状に沿って嵌る形状となり、その分前記押圧部３が前記首Ｎ側へ寄りやすくなる。そのため図５に示すように、身体の前記首Ｎの付け根を押圧する時、手首や腕の位置や角度をあまり変更させずに前記押圧部３が前記首Ｎの後ろ中央にまで届きやすくなるので、手首や腕の疲れを抑えながら楽に使用でき、且つ前記押圧部３を所望する身体部位に当接させやすくなり、その分楽な気持ちで継続使用することができる。
【符号の説明】
【００２２】  １  押圧具
２  フレーム
２１  環状部
２２  軸部
３  押圧部
４  把持部
Ｌ１  フレーム中央幅
Ｌ２  把持部幅
Ｎ  首
Ｓ  肩
Ｈ  手
Ｂ  胴体
【図１】
2019205814.tif 000003
【図２】
2019205814.tif 000004
【図３】
2019205814.tif 000005
【図４】
2019205814.tif 000006
【図５】
2019205814.tif 000007